(57)【要約】【課題】画像データをデータバスラインで時分割動作させ、前述のような複数の処理を同時に並行して行うことができるようにする。【解決手段】P1394aのアシンクロナス・ストリーム・パケットを使用して、画像出力装置毎に異なるチャンネルを指定し、画像データを時分割に転送可能にする。画像データバス１５１上の装置の中で少なくとも一つがアイソクロナス・リソース・マネージャ対応になっていれば、画像出力装置ごとにチャンネルを確保できる。ＦＣＵ１３０、スキャナ１１０、プリンタ・コントローラ２１０が画像出力装置として動作し、これらの画像出力装置がアイソクロナス・リソース・マネージャとなるコマンダー・ユニット２３０からチャンネルを確保する。複写、プリント出力、ＦＡＸ送信、ＦＡＸ受信およびネットワーク・スキャンの各作業の前に帯域の確保を行い、各処理が終了したら、確保していた帯域を返す。【選択図】図３
2005073297.tif 000002
【特許請求の範囲】
【請求項１】
ネットワークに接続され、入力された画像データに所定の画像処理を施して出力する画像処理システムにおいて、
画像データを時分割で転送する画像データバスラインと、
前記画像データバスライン上の記録画像データを取り込んで記録媒体に記録する手段と、
を備えていることを特徴とする画像処理システム。
【請求項２】
前記ネットワークを介して転送されてきた印刷データを記録画像データとして展開し、前記画像データバスライン上に時分割で転送する手段と、
前記画像データバスライン上の画像データをキャプチャする手段と、
前記キャプチャする手段によってキャプチャされた画像データを記憶する第１の記憶手段と、
前記第１の記憶手段に記憶された画像データを記憶する第２の記憶手段と、
前記第１および／第２の記憶手段に記憶された画像データをネットワークに接続された画像ファイルサーバに転送する手段と、
をさらに備えていることを特徴とする請求項１記載の画像処理システム。
【請求項３】
原稿画像を読み取り、読み取り画像データを時分割に画像データバスに出力する手段をさらに備えていることを特徴とする請求項１または２記載の画像処理システム。
【請求項４】
通信回線から画像データを受信して受信画像データを時分割に前記画像データバスに出力し、または、前記画像データバスから送信画像データを時分割に入力し、送信画像データを通信回線に送信する手段をさらに備えていることを特徴とする請求項１ないし３のいずれか１項に記載の画像処理システム。
【請求項５】
前記画像データバスラインはシリアルバスからなることを特徴とする請求項１ないし４のいずれか１項に記載の画像処理システム。
【発明の詳細な説明】
【技術分野】
【０００１】
本発明は、複写機能とＦＡＸ機能を並行動作させながら、ユーザに意識させずに電子ファイリングを行う画像処理システムに係り、特に、デジタル複合機とも称される多種の機能を備えたプリンタ装置（ＭＦＰ：Multi Function Printer）に好適な画像処理システムに関する。
【背景技術】
【０００２】
この種の画像処理システムとして、例えば特公平８−１５２２９号公報に開示された画像処理システムが公知である。この発明は、通信回線からの画像データの受信中に原稿画像の読み取りまたは画像記録を並行して実行できるようにすることを目的として行われたもので、ＤＭＡ転送要求に基づいて行われる受信手段からの受信画像データのＤＭＡ転送中に、読み取り手段または記録手段からＤＭＡ転送要求が生じた場合、受信画像データＤＭＡ転送を中断させ、その中断中に前記読み取り手段または記録手段からのＤＭＡ転送要求に基づいて前記読み取り手段からの所定量の読み取り画像データまたは前記記録手段への所定量の記録画像データのＤＭＡ転送を実行させ、所定量の読み取り画像データまたは記録画像データのＤＭＡ転送の終了後、受信手段からのＤＭＡ転送要求に基づいて受信手段のバッファメモリに記憶されている受信画像データのＤＭＡ転送を再開させるように構成されている。
【発明の開示】
【発明が解決しようとする課題】
【０００３】
このように前記特公平８−１５２２９記載の発明では、通信回線からの画像データの受信中に原稿画像の読み取りまたは画像記録を並行して実行できるようにすることで、複写機能とＦＡＸ機能の並行動作を可能にしているが、ファイリング機能までは配慮されてはいなかった。また、画像データをデータバスラインで時分割動作させるという技術思想は開示されていない。
【０００４】
本発明は、このような従来技術の実情に鑑みてなされたもので、その目的は、画像データをデータバスラインで時分割動作させ、前述のような複数の処理を同時に並行して行うことができる画像処理システムを提供することにある。
【課題を解決するための手段】
【０００５】
前記目的を達成するため、第１の手段は、ネットワークに接続され、入力された画像データに所定の画像処理を施して出力する画像処理システムにおいて、画像データを時分割で転送する画像データバスラインと、前記画像データバスライン上の記録画像データを取り込んで記録媒体に記録する手段とを備えていることを特徴とする。
【０００６】
第２の手段は、第１の手段において、前記ネットワークを介して転送されてきた印刷データを記録画像データとして展開し、前記画像データバスライン上に時分割で転送する手段と、前記画像データバスライン上の画像データをキャプチャする手段と、前記キャプチャする手段によってキャプチャされた画像データを記憶する第１の記憶手段と、前記第１の記憶手段に記憶された画像データを記憶する第２の記憶手段と、前記第１および／第２の記憶手段に記憶された画像データをネットワークに接続された画像ファイルサーバに転送する手段とをさらに備えていることを特徴とする。
【０００７】
第３の手段は、第１または第２の手段において、原稿画像を読み取り、読み取り画像データを時分割に画像データバスに出力する手段をさらに備えていることを特徴とする。
【０００８】
第４の手段は、第１ないし第３の手段において、通信回線から画像データを受信して受信画像データを時分割に前記画像データバスに出力し、または、前記画像データバスから送信画像データを時分割に入力し、送信画像データを通信回線に送信する手段をさらに備えていることを特徴とする。
【０００９】
第５の手段は、第１ないし第４のいずれかの手段において、前記画像データバスラインはシリアルバスからなることを特徴とする。
【発明の効果】
【００１０】
本発明によれば、画像データを時分割で転送する画像データバスラインと、前記画像データバスライン上の記録画像データを取り込んで記録媒体に記録する手段とを備えているので、画像データをデータバスラインで時分割動作させ、記録手段を使用して複数の処理を同時に並行して行うことができる。
【００１１】
また、本発明によれば、画像データバスラインが画像データを時分割で転送する機能を備え、ファイルサーバに転送する手段は、第１，２の記憶手段に記憶された画像データをネットワークと接続されている画像ファイルサーバに転送するので、画像データを時分割に転送することが可能となり、これによって、複数の種類の画像データを転送することができ、複数の種類の画像データをキャプチャしながら、ユーザに意識させずに電子ファイリングを行うことが可能になる。
【００１２】
また、本発明によれば、原稿画像を読み取り、読み取り画像データを時分割に画像データバスに出力する画像読み取り手段を備えているので、スキャナ機能とプリント機能の並行動作が可能になり、ユーザに意識させずに電子ファイリングを行うことができる。
【００１３】
また、本発明によれば、通信回線から画像データを受信し、受信画像データを時分割に前記画像データバスに出力または、前記画像データバスから送信画像データを時分割に入力し、送信画像データを通信回線に送信する手段を備えているので、ＦＡＸ機能、スキャナ機能とプリント機能の並行動作を行いながら、ユーザに意識させずに電子ファイリングを行うことができる。
【００１４】
更に、本発明によれば、画像データバスラインはシリアルバスからなるので、画像を読み取る手段（スキャナ）や記録媒体に記録する手段（プロッタ）の接続が簡単に行える。
【発明を実施するための最良の形態】
【００１５】
以下、本発明の実施形態について図面を参照して説明する。
【００１６】
＜第１の実施形態＞
・全体構成
図１は本発明の全体の実施例であるデジタル複写（合）機（ＭＦＰ）１００の電気的構成を示すブロック図である。ＭＦＰ１００は、ＣＰＵ１０１が予めＲＯＭ１０２内に格納した制御プログラムを読み出してＲＡＭ１０３を画像データやセンサ信号などを一時記憶するワークエリアとして使用しつつ装置各部を統括制御することにより、データ処理装置としての各種処理を行うとと共に、後述の各処理を実行する。
【００１７】
ＭＦＰ１００には、データを検索・読出可能に大容量記憶装置（蓄積手段）内に蓄積管理する図示しないファイル装置（画像ファイルサーバ）がネットワークＩ／Ｆ（ＮＣＵ）１０４によりネットワーク１０７を介して接続されており、ユーザの処理する画像データを転送命令の有無にかかわらずにそのファイル装置にそのまま転送することにより、処理した画像データを再利用可能にファイル（蓄積保存）するファイルシステムを構築している。なお、ファイル装置はネットワークを介して接続する構成に限らず、直接接続してもよいことはいうまでもない。さらに、リムーバブルメディアＩ／Ｆ１０８を介して交換可能なメディアにファイルを転送することも可能である。交換可能なメディアは例えばＨＤＤ、ＦＤＤ、Flash ROM Card等が利用可能である。
【００１８】
このＭＦＰ１００はＣＰＵ１０１にシステムバス１５０を介して、ＲＯＭ１０２、ＲＡＭ１０３およびＮＣＵ１０４と共に、スキャナ１１０、プロッタ１２０、ＦＣＵ１３０（後述）、操作部（DISPLAY&OPERATION Controller）１４０、FIFO１バッファ１０５、FIFO２バッファ１０６、ＤＭＡコントローラ１０７、リムーバブルメディアＩ／Ｆ１０８およびハードディスク装置（ＨＤＤ）１６０が接続されており、ＣＰＵ１０１がこれら装置各部を統括制御することにより、スキャナ１１０が画像読み取り装置として機能して、ファクシミリ通信により画像データを伝送する伝送機能と、読み取り画像データを記録出力する複写（コピー）機能と、受信画像データを記録出力する記録機能とを備える複写機として使用することができる。なお、リムーバブルメディアＩ／Ｆ１０８には、ＨＤＤ、ＦＤＤ、Flash ROM Card等の交換可能なメディア１６１が接続される。
【００１９】
FIFO１バッファ１０５、FIFO２バッファ１０６、ＤＭＡコントローラ１０７は1394ＬＳＩで構成されており、画像データバスであるIEEE1394バス１５１に接続されている。ＦＣＵ１３０、スキャナ１１０、プロッタ１２０はIEEE1394インターフェースを備えており、各々画像データバスであるIEEE1394バス１５１に接続されている。画像データは画像データバスであるIEEE1394バス１５１に時分割で転送が可能である。
【００２０】
・動作
・・画像データの時分割での転送
画像データを時分割で転送する場合、以下のようにして行われる。
【００２１】
スキャナデータを画像データバス１５１に転送するときと、プロッタデータを画像データバス１５１に転送するときとで、IEEE1394の異なるチャンネルを使用する。IEEE1394の転送モードは非同期ストリーム転送が使用できる。さらに大容量のデータ転送が必要ならば、アイソクロナス転送モードを使用すればよい。
【００２２】
簡単に説明すると、スキャナ１１０は、例えば、原稿テーブルにセットしたシート状の原稿を自動原稿搬送装置（ＡＤＦ）により１枚ずつ分離給送してコンタクトガラス（読み取り位置）上に位置決めした後に、公知の読み取り方法により、コンタクトガラス上に置かれた前記原稿（画像や文字などからなる文書）に露光ランプの光を照射し、その画像面からの反射光をＣＣＤにより光電変換して画像データを読み取る。読み取り画像データは画像データバス１５１上に時分割で転送される。
【００２３】
プロッタ１２０は、画像データバス１５１に時分割に転送される画像データを、例えば、公知の電子写真記録方式により、回転駆動させつつ帯電させた感光体上に光書き込みによって静電潜像を形成し、この静電潜像にトナーを付着させることによって現像し、給紙カセットから搬送する用紙に現像されたトナー像を転写して定着させ、装置外に排紙する。もちろん電子写真式方式以外の方式であるインクジェット方式でも画像が記録できることは明らかである。
【００２４】
ＦＣＵ１３０は、画像データや各種手順信号を変復調するとともに、ＰＳＴＮ（公衆回線）との回線制御を実行して回線接続あるいはその切断を行うことにより、相手先のＦＡＸ端末との間でＦＡＸデータを送受信するＦＡＸ通信を行う。ＦＡＸ送信する際の送信画像データは画像データバス１５１上のスキャナ読み取りデータを使用する。受信する際の受信データは画像データバス１５１上に転送され、プロッタ１２０によって画像記録される。
【００２５】
なお、ＭＦＰ１００は、画像データを符号化圧縮するとともに、再現する際に復号化伸長する画像処理部を備えていてもよく、コピー時などにはユーザにより指示されたサイズの画像に拡大・縮小する画像処理などを画像データに施すことができることはいうまでもない。
【００２６】
操作部１４０は、装置本体の前面上部に設けられたオペレーションポート内に準備されたキーポート１４１および表示ポート１４２により構成されており、表示ポート１４２は、駆動条件、装置状態、入力条件などの各種情報を表示すると共にユーザによる機能選択などの選択入力や設定入力等の入力操作と行うためのタッチパネル付き表示操作ＬＣＤ（Liquid Crystal Display）で構成されている。
【００２７】
・・並行処理
複写とＦＡＸ送信の並行動作は次のようにして行われる。
【００２８】
まず、ＭＦＰ１００の表示操作部１４０から複数部複写のコマンドが指定される。スキャナ１１０では１部のみスキャンする。スキャナ１１０で読み取られた読み取り画像データは画像データバス１５１に時分割に転送される。読み取り画像データは画像データバス１５１上で時分割された画像データバス１５１からＦＣＵ１３０に転送され、ＨＤＤ１６０に蓄えられる。ＨＤＤ１６０に蓄えられた読み取り画像データは再びＦＣＵ１３０を介して画像データバス１５１転送されて、プロッタ１２０に転送され、画像記録される。ＨＤＤ１６０から画像データバス１５１を介して画像の転送を行っている間に、スキャナ１１０から読み取られた読み取り画像データは画像データバス１５１を介してＦＣＵ１３０に転送され、ＦＡＸ送信される。
【００２９】
画像データバス１５１の画像データは、ＲＡＭ（第１の記憶手段）１０３、ＨＤＤ（第２の記憶手段）１６０に記憶されるが、この時の処理手順は以下のようになる。
【００３０】
通常、画像データバス１５１上の画像データはFIFO1バッファ１０５、FIFO2バッファ１０６に転送される。複写とＦＡＸ送信の並行動作中に画像データバス１５１上に転送される画像データは複数部複写された同じ画像データなので、FIFO２バッファ１０６には転送しない。予めＣＰＵ１０１はＤＭＡ制御装置１０７に対して、FIFO１バッファ１０５またはFIFO２バッファ１０６のメモリ容量が所定量に達したときに、ＲＡＭ１０３に画像データを転送するように設定しておく。また、図２のようにFIFO１バッファ１０５からの画像データとFIFO２バッファ１０６からの画像データはＲＡＭ１０３上の異なる領域（画像領域１、画像領域２−図２）に設定しておく。本ＤＭＡ制御装置１０７のＤＭＡの優先順位はＣＰＵ１０１から初回のＤＭＡ転送時のみFIFO１バッファ１０５と設定しておく。もちろんFIFO２バッファ１０６からのＤＭＡ要求を初回のＤＭＡ転送要求として設定してもよい。所定量のＤＭＡ転送が終了すると、次回のFIFO１バッファ１０５、FIFO２バッファ１０６のＤＭＡ要求をＤＭＡ制御装置１０７は待ち続ける。FIFO１バッファ１０５またはFIFO２バッファ１０６どちらか一方のみのＤＭＡ要求があるときはそのＤＭＡ要求をＤＭＡ制御装置１０７は受け付ける。
【００３１】
ＭＦＰ１００のＣＰＵ１０１は、転送手段として構成されており、例えば、スキャナ１１０で読み取った読み取り画像データをプロッタ１２０により用紙に記録出力したり、ＦＣＵ１３０によりＦＡＸ送信するのと並行して、読み取り画像データを特定するための処理日時情報と部数情報や相手先電話番号等の特定情報を付加してハードディスク装置（記憶手段）１６０内にも同一の画像データを一時記憶させた後に、ＮＣＵ１０４を介して図外のファイル装置に送出する転送処理を行う。
【００３２】
一方、このＭＦＰ１００に接続されるファイル装置は、図示を省略して簡単に説明すると、一般的なパーソナルコンピュータ（ＰＣ）により構成することができる。すなわち、ディスプレイを見ながらキーボードやマウスなどを操作することによりメモリ内から読み出したアプリケーションプログラムに従って演算処理などを行うことにより、文書や画像の作成などの各種処理を行うと同様に、ＭＦＰ１００から転送された画像データを検索・読出して表示／記録出力することより再利用可能に大容量記憶装置内に蓄積管理するようになっている。これにより、連続処理された一文書毎に画像データを特定情報に対応付けしてから、大記憶容量装置（ＨＤＤ１６０）に蓄積保存し、その後のユーザによる要求に応じて文書の一部（例えば、先頭ページのサムネイル画像）を処理日時などの特定情報に基づいて選択できるようにカレンダ表示形式などによりディスプレイ（操作表示部１４０）に表示出力し、そのうちから選択された画像データを文書単位に大容量記憶装置から読み出して、例えば、ＭＦＰ１００に送出するなどして記録出力などさせ、その内容を確認するなど再利用することができるようになっている。なお、文書単位の画像データをもディスプレイに順次に表示出力させることができるようにして、電子化されたままの画像データをＰＣで加工するなど再利用可能にしてもよい。
【００３３】
＜第２の実施形態＞
・全体構成
図３は、第２の実施形態に係るデジタル複写機（ＭＦＰ１００）の構成を示すブロック図である。図１に示した第１の実施形態と同等な各部には同一の参照符号を付し、重複する説明は省略する。
【００３４】
このＭＦＰ１００はＣＰＵ１０１にシステムバス１５０を介して、ＲＯＭ１０２、ＲＡＭ１０３およびＮＣＵ１０４と共に、操作部（DISPLAY&OPERATION Controller）１４０、リムーバブルメディアＩ／Ｆ１０８、ハードディスク装置（ＨＤＤ）１６０、プリンタ・コントローラ２１０、キャプチャ・ユニット２２０、コマンダ・ユニット２３０が接続されており、ＣＰＵ１０１がこれら装置各部を統括制御する。また画像データバスであるIEEE1394バス１５１には、ＦＣＵ１３０、スキャナ１１０、プロッタ１２０、プリンタ・コントローラ２１０、キャプチャ・ユニット２２０およびコマンダ・ユニット２３０が接続されており、ＣＰＵ１０１がコマンダ・ユニット２３０を介してこれら装置各部を統括制御することにより、プリンタ、複写機、ファクシミリ装置およびネットワーク・スキャナとして使用することができる。その他、特に説明しない各部は前述の第１の実施形態に係るＭＦＰ１００と同等に構成され、画像形成をはじめ各部の動作が同様に行われる。
【００３５】
・動作
・・並行処理
・・・ネットワーク印刷とＦＡＸ送信の並行動作
ネットワーク印刷とＦＡＸ送信の並行動作は次のようにして行われる。
【００３６】
ＮＣＵ１０４に接続されているネットワーク１７０から印刷データが一時的にＨＤＤ１６０に蓄えられる。プリンタ・コントローラ２１０はＨＤＤ１６０に蓄えられた印刷データをプロッタ１２０によって画像記録が行える画像データに変換する。画像データは画像データバス１５１を介してプロッタ１２０に転送され画像記録する。ＨＤＤ１６０からの画像データを転送中に、スキャナ１１０から読み取られた画像データは画像データバス１５１を介してＦＣＵ１３０に転送され、ＦＡＸ送信される。ＦＡＸ送信の代わりにキャプチャ・ユニット２２０によって読み取り画像データのキャプチャをのみを行えば、ネットワーク印刷とネットワーク・スキャナが並行動作可能である。
【００３７】
・・・複写とＦＡＸ送信の並行動作
複写とＦＡＸ送信の並行動作については次のようにして行われる。
【００３８】
まず、ＭＦＰ１００の表示操作部１４０から複数部複写のコマンドが指定される。スキャナ１１０では１部のみスキャンする。スキャナ１１０で読み取られた読み取り画像データは画像データバス１５１に時分割で転送される。キャプチャ・ユニット２２０は、画像データバス上の読み取り画像データをＲＡＭ１０３に一時保存しながら、ＨＤＤ１６０に蓄える。プリンタ・コントローラ２１０はＨＤＤ１６０に蓄えられた読み取り画像データを再び画像データバス１５１上のプロッタ１２０に転送して画像記録する。ＨＤＤ１６０からの画像データを転送中に、スキャナ１１０から読み取られた画像データは画像データバス１５１を介してＦＣＵ１３０に転送され、ＦＡＸ送信される。ＦＡＸ送信の代わりにキャプチャ・ユニット２２０によって読み取り画像データのキャプチャを行えば、複写とネットワーク・スキャナの並行動作は可能である。
【００３９】
・・・ネットワーク・スキャンとＦＡＸ受信の並行動作ネットワーク・スキャンとＦＡＸ受信の並行動作は次のようにして行われる。
【００４０】
スキャナ１１０で読み取られた読み取り画像データは画像データバス１５１に時分割で転送される。キャプチャ・ユニット２２０は、画像データバス１５１上の読み取り画像データをＲＡＭ１０３に一時保存しながら、ＨＤＤ１６０に蓄える。同時に、ＦＡＸ受信データは画像データバス１５１上に転送されて、プロッタ１２０によって画像記録される。
【００４１】
ＭＦＰ１００のＣＰＵ１０１は、転送手段として構成されており、例えば、スキャナ１１０で読み取った読み取り画像データを、プロッタ１２０により用紙に記録出力したり、ＦＣＵ１３０によりＦＡＸ送信するのと並行して、読み取り画像データを特定するための処理日時情報と部数情報や相手先電話番号等の特定情報（検索キー）を付加してハードディスク装置（記憶手段）１６０内にも同一の画像データを一時記憶させた後に、ＮＣＵ１０４を介して図外のファイル装置に送出する転送処理を行う。
【００４２】
このＭＦＰ１００に接続されるファイル装置も、前述の第１の実施形態のように一般的なパーソナルコンピュータ（ＰＣ）により構成することができ、第１の実施形態と同様の操作により、文書や画像の作成などの各種処理を行ったり、再利用可能に大容量記憶装置内に蓄積管理可能であり、また、再利用することができるようになっている。
【００４３】
・・IEEE1394を使用したときの画像データの時分割での転送
画像データバス１５１としてIEEE1394を使用したときに、画像データを時分割で転送する場合には次のようにして行われる。
【００４４】
IEEE1394はシリアルバスなので、P1394aのアシンクロナス・ストリーム・パケット（Asynchronous Stream Packet）を使用して、画像データの出力装置（以下、画像出力装置とする）毎に異なるチャンネルを指定しておけば、画像データを簡単に時分割に転送可能である。画像データバス１５１上の装置の中で少なくとも一つがIEEE1394のチャンネルを管理するアイソクロナス・リソース・マネージャ対応になっていれば、画像出力装置ごとにチャンネルを確保できる。本実施形態では、例えばコマンダ・ユニット２３０がアイソクロナス・リソース・マネージャになることができる。複数のアイソクロナス・リソース・マネージャ候補がある場合には、IEEE1394に準拠しているので、必ずアイソクロナス・リソース・マネージャ候補の一つがアイソクロナス・リソース・マネージャになる。本実施形態では、ＦＣＵ１３０、スキャナ１１０、プリンタ・コントローラ２１０が画像出力装置として動作するので、これらの画像出力装置がアイソクロナス・リソース・マネージャとなるコマンダー・ユニット２３０からチャンネルの確保を行う。さらに、アイソクロナス・ストリーム・パケット（Isochronous Stream Packet）を使用すれば、帯域が保証されるので、大容量のデータをリアルタイムに転送可能になる。この場合には、チャンネルの確保だけでなく、帯域の確保をアイソクロナス・リソース・マネージャから行う。チャンネル、帯域の確保はIEEE1394のLockリクエストで行う。この場合、画像出力装置毎に必要な帯域幅が異なるので、複写時、プリント出力時、ＦＡＸ送信時、ＦＡＸ受信時およびネットワーク・スキャン時の前に帯域の確保を行い、各処理が終了したら、確保していた帯域を返すようにする。
【００４５】
・・・画像出力装置のチャンネル確保手順
１つの画像出力装置のチャンネル確保は次のような手順で行われる。
【００４６】
a)アイソクロナス・リソース・マネージャのChannels_Availableレジスタ値を読み込む。
【００４７】
b) Channels_Availableレジスタ値の空きチャンネルchを見つける。
【００４８】
c)アイソクロナス・リソース・マネージャのChannels_Availableレジスタに対してLockリクエストでchを確保する。
【００４９】
d)キャプチャ・ユニットに前記画像出力装置のチャンネルchを登録する。
【００５０】
e) （ネットワークスキャナ以外で）前記画像出力装置の画像データを入力する１つの画像データ入力装置にチャンネルchを登録する。
【００５１】
・・・画像出力装置の帯域幅確保手順
１つの画像出力装置の帯域幅確保は次のような手順で行われる。
【００５２】
a)アイソクロナス・リソース・マネージャのBandwidth_Availableレジスタ値を読み込む。
【００５３】
b) 必要な帯域幅bandを計算する。
【００５４】
c)アイソクロナス・リソース・マネージャのBandwidth_Availableレジスタに対してLockリクエストでbandを確保する。
【００５５】
d)キャプチャ・ユニットに前記画像出力装置の帯域幅bandを登録する。
【００５６】
前記画像出力装置は上記のチャンネルと帯域幅の確保をした後、IEEE1394上に非同期ストリーム転送モード、またはアイソクロナス転送モードで画像データを出力する。前記画像入力装置は登録されたチャンネルchに対しての画像データを入力する。画像入力装置がプロッタ１２０の場合には入力した画像データを記録する。プリンタ・コントローラ２１０が画像出力装置の時はプロッタ１２０が画像入力装置となり、ＮＣＵ１０４を介してプリント動作が実行可能になる。スキャナ１１０が画像出力装置、プロッタ１２０が画像入力装置の時には複写動作が可能となる。スキャナ１１０が画像出力装置、ＦＣＵ１３０が画像入力装置の時にはＦＡＸ送信が可能となる。ＦＣＵ１３０が画像出力装置、プロッタ１２０が画像入力装置の時にはＦＡＸ受信が可能になる。画像入力装置と画像出力装置は１組だけでなく、もちろん複数あってもよい。ただし、アイソクロナス・リソース・マネージャのチャンネルと帯域幅の制限内である必要がある。
【００５７】
・・キャプチャ・ユニットの動作
キャプチャ・ユニット２２０は登録されたチャンネルchに対しての画像データをキャプチャする。複数のチャンネルが登録されていたならば、複数のチャンネルをキャプチャすることができる。キャプチャされた画像データはシステムバス１５０を介して、一時的にＲＡＭ１０３に保存される。ＲＡＭ１０３上の画像データは、検索キーを付加してＨＤＤ１６０に保存するとともに、ＮＣＵ１０４を介して図以外の画像ファイルサーバにも同一の画像データを転送する。
【図面の簡単な説明】
【００５８】
【図１】本発明の第１の実施形態に係るＭＦＰの構成を示すブロック図である。
【図２】本発明の第１の実施形態に係るＭＦＰのＲＡＭ上の画像領域の状態を示す説明図である。
【図３】本発明の第２の実施形態に係るＭＦＰの構成を示すフブロック図である。
【符号の説明】
【００５９】
１００  デジタル複写機（ＭＦＰ）
１０１  ＣＰＵ
１０２  ＲＯＭ
１０３  ＲＡＭ
１０４  ＮＣＵ
１０５  FIFO１
１０６  FIFO２
１０７  ＤＭＡコントローラ
１０８  リムーバル・ディスク・コントローラ
１１０  スキャナ
１２０  プロッタ
１３０  ＦＣＵ
１４０  操作部
１５０  システムバス
１５１  画像データバス（IEEE1394接続）
１６０  ハードディスク
１７０  ネットワーク
２１０  プリンタコントローラ
２２０  キャプチャ・ユニット
２３０  コマンダ・ユニット
【図１】
2005073297.tif 000003
【図２】
2005073297.tif 000004
【図３】
2005073297.tif 000005